(57)【要約】      （修正有）【課題】チャットルームに参加するユーザがコンテンツを選択する場合、コンテンツを共有しようとする他のユーザに伝達せず、コンテンツを容易に共有できるコンテンツ提供方法、デバイス及びコンピュータプログラムを提供する。【解決手段】コンテンツを提供する第１アプリケーションのアカウントをデバイスにインストールされた第２アプリケーションのアカウントと連携させるステップと、第１アプリケーションを使用する複数のユーザのうち少なくとも一人以上が参加する前記第２アプリケーションのチャットルームを表示するステップＳ１１０と、チャットルームに参加するユーザの関心カテゴリの情報に基づいて決定された共通の関心事コンテンツを受信するステップＳ１６０及び受信した共通の関心事コンテンツを第２アプリケーションのチャットルーム上に表示するステップＳ１７０を含み、関心カテゴリの情報は、複数のユーザから収集する。【選択図】図７ａ
2016045960.tif 000002
【特許請求の範囲】
【請求項１】
デバイスにおけるコンテンツ提供方法において、
コンテンツを提供する第１アプリケーションのアカウントを前記デバイスにインストールされた第２アプリケーションのアカウントと連携させるステップ；
前記第１アプリケーションを使用する複数のユーザのうち少なくとも一人以上が参加する前記第２アプリケーションのチャットルームを表示するステップ；
前記複数のユーザのうち前記チャットルームに参加するユーザの関心カテゴリの情報に基づいて決定された共通の関心事コンテンツを受信するステップ、及び、
前記受信した共通の関心事コンテンツを前記第２アプリケーションのチャットルーム上に表示するステップを含み、
前記関心カテゴリの情報は、前記複数のユーザから収集されたものであるコンテンツ提供方法。
【請求項２】
前記関心カテゴリの情報は、第１アプリケーションのサービスを提供するサーバに格納され、
前記第１アプリケーションのサービスを提供するサーバには、一人以上のユーザが入力した関心カテゴリの情報が各ユーザ別にマッチングして格納されたものである請求項１に記載のコンテンツ提供方法。
【請求項３】
前記第２アプリケーションのサービスを提供するサーバは、前記第１アプリケーションのサービスを提供するサーバに、前記共通の関心事コンテンツ転送を要請し、
前記第１アプリケーションのサービスを提供するサーバは、前記転送要請によって前記マッチングされた関心カテゴリの情報に基づいて前記共通の関心事情報を決定し、前記決定された共通の関心事情報に対応する共通の関心事コンテンツを前記デバイスまたは前記第２アプリケーションのサービスを提供するサーバのうちいずれかに転送するものである請求項２に記載のコンテンツ提供方法。
【請求項４】
前記関心カテゴリの情報は、第２アプリケーションのサービスを提供するサーバに格納され、
前記第２アプリケーションのサービスを提供するサーバには、一人以上のユーザが入力した関心カテゴリの情報が各ユーザ別にマッチングして格納されたものである請求項１に記載のコンテンツ提供方法。
【請求項５】
前記第２アプリケーションのサービスを提供するサーバは、前記マッチングされた関心カテゴリの情報に基づいて前記共通の関心事情報を決定し、前記第１アプリケーションのサービスを提供するサーバに、前記共通の関心事情報に対応する共通の関心事コンテンツの転送を要請し、
前記第１アプリケーションのサービスを提供するサーバは、前記転送要請に従い前記決定された共通の関心事コンテンツを前記デバイスまたは前記第２アプリケーションのサービスを提供するサーバのいずれかに転送するものである請求項４に記載のコンテンツ提供方法。
【請求項６】
ユーザインターフェイスを通じて前記コンテンツに対する関心カテゴリの入力を受けるステップをさらに含み、
前記関心カテゴリの入力を受けるステップは、前記第１アプリケーションのユーザインターフェイスを通じて入力を受けることである請求項１に記載のコンテンツ提供方法。
【請求項７】
ユーザインターフェイスを通じて前記コンテンツに対する関心カテゴリの入力を受けるステップをさらに含み、
前記関心カテゴリの入力を受けるステップは、前記第２アプリケーションのユーザインターフェイスを通じて入力を受けることである請求項１に記載のコンテンツ提供方法。      
【請求項８】
前記コンテンツの受信要請の入力を受けるステップをさらに含み、
前記チャットルームの開設と同時に前記デバイスのユーザから前記コンテンツの受信要請の入力を受ける請求項１に記載のコンテンツ提供方法。
【請求項９】
前記コンテンツの受信要請の入力を受けるステップをさらに含み、
前記チャットルームが表示された後、前記デバイスのユーザから前記コンテンツの受信要請の入力を受ける請求項１に記載のコンテンツ提供方法。
【請求項１０】
ユーザインターフェイスを通じて前記コンテンツに対する関心カテゴリの入力を受けるステップをさらに含み、
前記関心カテゴリの入力を受けるステップは、前記ユーザインターフェイスを通じてキーワードの入力を受け、前記入力されたキーワードに対応する関心カテゴリを抽出することである請求項１に記載のコンテンツ提供方法。
【請求項１１】
前記共通の関心事コンテンツを受信するステップは、第１アプリケーションのサービスのコンテンツのうち優先順位が高く設定されたコンテンツを共通の関心事コンテンツとして受信し、
前記受信した共通の関心事コンテンツを前記第２アプリケーションのチャットルーム上に表示するステップは、前記優先順位が高く設定された共通の関心事コンテンツを前記チャットルームの所定の領域に表示することである請求項１に記載のコンテンツ提供方法。
【請求項１２】
前記チャットルームは、前記受信したコンテンツのリストを表示するためのアイコンを含み、前記アイコンは、前記第２アプリケーションのユーザインターフェイスの制御画面または前記チャットルームの制御画面のうち一つ以上に含まれたものである請求項１に記載のコンテンツ提供方法。
【請求項１３】
前記コンテンツに対する関心カテゴリを設定するステップをさらに含み、
前記関心カテゴリの情報は、前記チャットルームに参加するユーザが取り交わしたインスタントメッセージの内容に含まれたキーワードを抽出し、前記抽出されたキーワードを予め分類されたカテゴリのうち一つ以上にマッチングさせ、前記マッチングされたカテゴリに基づいて設定され、
前記キーワードは、前記予め分類されたカテゴリにマッチングされ、予め格納されたものである請求項１に記載のコンテンツ提供方法。
【請求項１４】
前記関心カテゴリを設定するステップは、
前記キーワードが前記予め分類されたカテゴリにマッチングされる回数が既設定された回数以上である場合、前記既設定された回数以上がマッチングされたカテゴリを関心カテゴリとして設定することである請求項１３に記載のコンテンツ提供方法。
【請求項１５】
前記関心カテゴリの情報は、前記コンテンツの参加度情報に基づいて決定され、
前記参加度情報は、前記コンテンツに対するコメント履歴、共有履歴及び選好度履歴のうち一つ以上に基づいて抽出されたものである請求項１に記載のコンテンツ提供方法。      
【請求項１６】
前記第２アプリケーションのサービスを提供するサーバは、
前記第１アプリケーションのサービスを提供するサーバに、前記共通の関心事コンテンツの転送を要請し、
前記第１アプリケーションのサービスを提供するサーバは、
前記転送要請に従い前記コンテンツの参加度情報を抽出し、前記抽出された参加度情報に基づいて関心カテゴリの情報を決定し、前記決定された関心カテゴリの情報によって決定された共通の関心事情報に対応する共通の関心事コンテンツを前記デバイスまたは前記第２アプリケーションのサービスを提供するサーバのいずれかに転送するものである請求項１５に記載のコンテンツ提供方法。
【請求項１７】
前記参加度情報は、前記ユーザのコメント履歴、共有履歴及び選好度履歴のうち一つ以上が存在するコンテンツのカテゴリ情報を含み、
前記関心カテゴリの情報は、前記コンテンツのカテゴリ情報に基づいて決定されるものである請求項１５に記載のコンテンツ提供方法。
【請求項１８】
前記参加度情報は、前記ユーザの前記コメント履歴、共有履歴及び選好度履歴のうち一つ以上が既設定された回数以上存在するコンテンツのカテゴリ情報を含むものである請求項１７に記載のコンテンツ提供方法。
【請求項１９】
前記参加度情報は、前記コメント履歴、共有履歴及び選好度履歴のうち一つ以上が既設定された回数以上存在するコンテンツのカテゴリ情報を含むものである請求項１５に記載のコンテンツ提供方法。
【請求項２０】
前記共通の関心事コンテンツは、前記チャットルームに参加する複数のユーザ全員または過半数以上とマッチングされる関心カテゴリに対応するコンテンツである請求項１に記載のコンテンツ提供方法。
【請求項２１】
コンテンツを表示するデバイスにおいて、
前記コンテンツを提供する第１アプリケーションのアカウントを前記デバイスにインストールされた第２アプリケーションのアカウントと連携させるアカウント連携部、
前記第１アプリケーションを使用する複数のユーザのうち少なくとも一人以上が参加する前記第２アプリケーションのチャットルームを表示するチャットルーム表示部、
前記複数のユーザのうち前記チャットルームに参加するユーザの関心カテゴリの情報に基づいて決定された共通の関心事コンテンツを受信するコンテンツ受信部、及び、
前記受信した共通の関心事コンテンツを前記第２アプリケーションのチャットルーム上に表示するコンテンツ表示部を含み、
前記関心カテゴリの情報は、前記複数のユーザから収集されたものであるデバイス。
【請求項２２】
デバイスにおいてコンテンツの提供を受けるための命令語のシーケンスを含む媒体に格納されたコンピュータアプリケーションであって、
コンピュータ装置により実行されるとき、前記アプリケーションが、
前記コンテンツを提供するアプリケーションのアカウントと連携させ、
前記コンテンツを提供するアプリケーションを使用する複数のユーザのうち少なくとも一人以上が参加するチャットルームを表示し、
前記複数のユーザのうち前記チャットルームに参加するユーザの関心カテゴリの情報に基づいて決定された共通の関心事コンテンツを受信し、
前記受信した共通の関心事コンテンツを前記チャットルーム上に表示し、
前記関心カテゴリの情報は、前記複数のユーザから収集されたものであるコンピュータアプリケーション。
【発明の詳細な説明】
【技術分野】
【０００１】
本発明は、デバイスにおけるコンテンツ提供方法、コンテンツを表示するデバイス及びコンピュータアプリケーションに関する。
【背景技術】
【０００２】
インスタントメッセージサービス（Ｉｎｓｔａｎｔ  Ｍｅｓｓａｇｅ  Ｓｅｒｖｉｃｅ）は、電子メールプログラムやウェブブラウザを別途に用いずに、送信者が送ったメッセージが受信者のデバイスの画面に即時に表されるようにするリアルタイムオンラインコミュニケーションサービスを意味する。特に、モバイルネットワークを利用してチャット、音声及びビデオ通話などを提供するサービスをＭＩＭ（Ｍｏｂｉｌｅ  Ｉｎｓｔａｎｔ  Ｍｅｓｓｅｎｇｅｒ）サービスという。これに係り、特許文献１には、インスタントメッセージ制御方法が開示されている。
【０００３】
一方、スマート機器を利用するユーザは、ニュース、動画、イメージなどのコンテンツの提供を受けるためには、コンテンツを提供する各種のウェブサイトやアプリケーションに接続しなければならない。また、ユーザは、自分が提供を受けたコンテンツを自分と共通の関心事を有する第三者と共有するためには、直接コンテンツのＵＲＬをコピーしてインスタントメッセージを通じて伝達するか、キャプチャ、ファイル転送などの方法を利用しなければならない。
【０００４】
このように、従来は、自分と共通の関心事を有する他のユーザとコンテンツを共有するためには直接コンテンツを選択し、選択されたコンテンツを直接伝達しなければならないという不便が存在していた。従って、ユーザが自分と共通の関心事を有する第三者とコンテンツと共有時に、共通の関心事に該当するコンテンツを直接選択しなくても、共通の関心事コンテンツを他のユーザと共有できる方法が必要な実情である。
【先行技術文献】
【特許文献】
【０００５】
【特許文献１】韓国公開特許第１０−２０１１−００１２３１５号公報
【発明の概要】
【発明が解決しようとする課題】
【０００６】
本発明の実施例は、複数のユーザが設定した関心カテゴリの情報に基づいて決定された共通の関心事コンテンツをインスタントメッセージを表示するアプリケーションのチャットルーム上に表示することで、ユーザが直接コンテンツを選択するか、直接コンテンツを共有しようとする他のユーザに伝達しなくても、チャットルームに参加するユーザがコンテンツを容易に共有できるコンテンツ提供方法、デバイス及びコンピュータプログラムを提供することができる。
【０００７】
但し、本実施例が達成しようとする技術的課題は、上記のような技術的課題に限らず、また他の技術的課題が存在し得る。
【課題を解決するための手段】
【０００８】
上述した技術的課題を達成するための技術的手段として、本発明の第１側面に係るデバイスにおけるコンテンツ提供方法は、コンテンツを提供する第１アプリケーションのアカウントを前記デバイスにインストールされた第２アプリケーションのアカウントと連携させるステップ；前記第１アプリケーションを使用する複数のユーザのうち少なくとも一人以上が参加する前記第２アプリケーションのチャットルームを表示するステップ；前記複数のユーザのうち前記チャットルームに参加するユーザの関心カテゴリの情報に基づいて決定された共通の関心事コンテンツを受信するステップ、及び、前記受信した共通の関心事コンテンツを前記第２アプリケーションのチャットルーム上に表示するステップを含み、前記関心カテゴリの情報は、前記複数のユーザから収集される。
【０００９】
また、本発明の第２側面に係るコンテンツを表示するデバイスは、前記コンテンツを提供する第１アプリケーションのアカウントを前記デバイスにインストールされた第２アプリケーションのアカウントと連携させるアカウント連携部、前記第１アプリケーションを使用する複数のユーザのうち少なくとも一人以上が参加する前記第２アプリケーションのチャットルームを表示するチャットルーム表示部、前記複数のユーザのうち前記チャットルームに参加するユーザの関心カテゴリの情報に基づいて決定された共通の関心事コンテンツを受信するコンテンツ受信部、及び、前記受信した共通の関心事コンテンツを前記第２アプリケーションのチャットルーム上に表示するコンテンツ表示部を含み、前記関心カテゴリの情報は、前記複数のユーザから収集される。
【００１０】
また、本発明の第３側面に係るデバイスにおいてコンテンツの提供を受けるための命令語のシーケンスを含む媒体に格納されたコンピュータアプリケーションは、コンピュータ装置により実行されるとき、前記アプリケーションが、前記コンテンツを提供するアプリケーションのアカウントと連携させ、前記コンテンツを提供するアプリケーションを使用する複数のユーザのうち少なくとも一人以上が参加するチャットルームを表示し、前記複数のユーザのうち前記チャットルームに参加するユーザの関心カテゴリの情報に基づいて決定された共通の関心事コンテンツを受信し、前記受信した共通の関心事コンテンツを前記チャットルーム上に表示し、前記関心カテゴリの情報は、前記複数のユーザから収集される。
【発明の効果】
【００１１】
前述した本発明の課題解決手段のいずれかによれば、コンテンツを提供する第１アプリケーションのアカウントをインスタントメッセージを受信して表示する第２アプリケーションのアカウントと連携することで、ユーザは、第１アプリケーションに直接接続しなくても、第２アプリケーションを通じてコンテンツの提供を受けることができる。
【００１２】
なお、第１アプリケーションを使用する複数のユーザのうち前記チャットルームに参加するユーザが設定した関心カテゴリの情報に基づいて共通の関心事コンテンツを決定し、共通の関心事コンテンツをチャットルーム上に表示することで，チャットルームに参加するユーザと関係のないコンテンツではない、ユーザが共通で関心を有しているコンテンツの提供を受けることができる。
【００１３】
さらに、コンテンツを共有するためのユーザの直接的な入力がなくても、チャットルームに参加するユーザが容易に共通の関心事に該当するコンテンツを共有することができる。
【図面の簡単な説明】
【００１４】
【図１】本発明の一実施例に係るコンテンツ提供システムの構成図である。
【図２】本発明の一実施例に係るデバイスのブロック図である。
【図３ａ】本発明に係る関心カテゴリ入力部の一例示を示す図である。
【図３ｂ】本発明に係る関心カテゴリ入力部の一例示を示す図である。
【図４】優先順位が高く設定された共通の関心事コンテンツがチャットルーム上の所定の領域に表示された一例示を示す図である。
【図５】共通の関心事コンテンツのリストを表示するためのアイコン及びアイコンクリック時に表示されるコンテンツのリストの一例示を示す図である。
【図６】コンテンツの参加度情報を説明するための図である。
【図７ａ】コンテンツ提供サーバで共通の関心事コンテンツを決定してデバイス上に共通の関心事コンテンツを表示する一連のステップを示すフローチャートである。
【図７ｂ】インスタントメッセージサーバで共通の関心事コンテンツを決定してデバイス上に共通の関心事コンテンツを表示する一連のステップを示すフローチャートである。
【図７ｃ】コンテンツ提供サーバで参加度情報に基づいて共通の関心事コンテンツを決定し、これをデバイス上に表示する一連のステップを示すフローチャートである。
【図７ｄ】インスタントメッセージサーバでチャットルーム上のインスタントメッセージをパースして共通の関心事コンテンツを決定し、これをデバイス上に表示する一連のステップを示すフロャーチャートである。
【発明を実施するための形態】
【００１５】
以下では、添付した図面を参照して、本発明が属する技術分野で通常の知識を持った者が容易に実施することができるように本発明の実施例を詳しく説明する。しかし、本発明は、様々な異なった形態で具現でき、ここで説明する実施例に限らない。そして、図面で本発明を明確に説明するために、説明と関係ない部分は省略し、明細書の全体を通じて類似した部分に対しては、類似した図面符号を付けた。
【００１６】
明細書の全体において、ある部分が他の部分と『連結』されているとすると、これは、『直接的に連結』されている場合だけでなく、その中間に他の素子を挟んで『電気的に連結』されている場合も含む。また、ある部分がある構成要素を『含む』とすると、これは、特に反対する記載がない限り、他の構成要素を除外するのではなく、他の構成要素をさらに含むことができることを意味する。
【００１７】
図１は、本発明の一実施例に係るコンテンツ提供システム（１０）の構成図である。
【００１８】
図１に示されたように、本発明の一実施例に係るコンテンツ提供システム（１０）は、コンテンツ提供サーバ（１１０）、インスタントメッセージサーバ（１２０）、デバイス（２００）及び外部デバイス（３００）を含み得る。このような図１のコンテンツ提供システム（１０）は、本発明の一実施例に過ぎないので、図１を通じて本発明が限定解釈されるのではない。即ち、本発明の様々な実施例によれば、コンテンツ提供システム（１０）は、図１と異なるように構成され得る。
【００１９】
コンテンツ提供システム（１０）を構成する図１の各構成要素は、ネットワーク（ｎｅｔｗｏｒｋ）を通じて連結され得る。ネットワークは、端末及びサーバのようなそれぞれのノード相互間に情報交換が可能な連結構造を意味するもので、このようなネットワーク（ｎｅｔｗｏｒｋ）の一例には、３ＧＰＰ（３ｒｄ  Ｇｅｎｅｒａｔｉｏｎ  Ｐａｒｔｎｅｒｓｈｉｐ  Ｐｒｏｊｅｃｔ）ネットワーク、ＬＴＥ（Ｌｏｎｇ  Ｔｅｒｍ  Ｅｖｏｌｕｔｉｏｎ）ネットワーク、ＷＩＭＡＸ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）ネットワーク、インターネット（Ｉｎｔｅｒｎｅｔ）、ＬＡＮ（Ｌｏｃａｌ  Ａｒｅａ  Ｎｅｔｗｏｒｋ）、Ｗｉｒｅｌｅｓｓ  ＬＡＮ（Ｗｉｒｅｌｅｓｓ  Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＰＡＮ（Ｐｅｒｓｏｎａｌ  Ａｒｅａ  Ｎｅｔｗｏｒｋ）、ブルートゥース（Ｂｌｕｅｔｏｏｔｈ：登録商標）ネットワーク、衛星放送ネットワーク、アナログ放送ネットワーク、ＤＭＢ（Ｄｉｇｉｔａｌ  Ｍｕｌｔｉｍｅｄｉａ  Ｂｒｏａｄｃａｓｔｉｎｇ）ネットワークなどが含まれるが、これに限らない。
【００２０】
コンテンツ提供サーバ（１１０）は、第１アプリケーションのコンテンツを提供するためのサーバであって、このとき、コンテンツは、ニュース、商品、サービス、ゲームアイテムなど様々な形態であり得る。このとき、第１アプリケーションは、デバイス（２００）にインストールされていてもよく、これとは異なり、第１アプリケーションは、デバイス（２００）にインストールされていなくてもよい。これにより、デバイス（２００）は、デバイス（２００）上に第１アプリケーションがインストールされていなくても、コンテンツ提供サーバ（１１０）に接続してコンテンツの提供を受けることができる。これに加え、デバイス（２００）は、デバイス（２００）上に第１アプリケーションがインストールされていなくても、他のデバイス上にインストールされた第１アプリケーションを通じてもデバイス（２００）にインストールされた第２アプリケーションのチャットルーム上に共通の関心事コンテンツを受信することができる。
【００２１】
インスタントメッセージサーバ（１２０）は、デバイス（２００）で一つ以上の外部デバイス（３００）に伝達するためのインスタントメッセージを受信して外部デバイス（３００）に転送するか、または、一つ以上の外部デバイス（３００）から伝達されてきたインスタントメッセージを受信してデバイスに転送する。
【００２２】
このようなコンテンツ提供サーバ（１１０）及びインスタントメッセージサーバ（１２０）は、図１に示されたように、それぞれ独立的なサーバコンピュータ（ｓｅｒｖｅｒ  ｃｏｍｐｕｔｅｒ）に位置して実行されてもよく、これとは異なり、図１の（Ａ）のように、同一のサーバコンピュータでサーバプログラム（ｓｅｒｖｅｒ  ｐｒｏｇｒａｍ）として搭載され、それぞれ実行されてもよい。
【００２３】
以下では、第１アプリケーションのサービスを提供するサーバをコンテンツ提供サーバ（１１０）と、第２アプリケーションのサービスを提供するサーバをインスタントメッセージサーバ（１２０）と称する。
【００２４】
デバイス（２００）は、コンテンツ提供サーバ（１１０）からコンテンツの提供を受け、提供を受けたコンテンツは、第１アプリケーションを通じて表示され得る。このとき、第１アプリケーションは、上述したように、デバイス（２００）にインストールされていてもよい。これとは異なり、第１アプリケーションは、デバイス（２００）にインストールされておらず、他のデバイスにインストールされていてもよい。また、デバイス（２００）に第１アプリケーションがインストールされていない場合、デバイス（２００）は、コンテンツ提供サーバ（１１０）を通じてコンテンツの提供を受けることもできる。
【００２５】
デバイス（２００）には、第２アプリケーションがインストールされており、第２アプリケーションを通じて一つ以上の外部デバイス（３００）とインスタントメッセージを送受信することができる。このように送受信されたインスタントメッセージは、第２アプリケーションのチャットルームに表示される。このとき、外部デバイス（３００）は、デバイス（２００）とネットワークで連結され得る。
【００２６】
一方、第１アプリケーションのアカウントは、デバイス（２００）にインストールされた第２アプリケーションのアカウントと連携される。例えば、デバイス（２００）の第１アプリケーションの実行時に第２アプリケーションのアカウントでインスタントメッセージサーバ（１２０）にログインを要請し、インスタントメッセージサーバ（１２０）がログインを許容することで、第１アプリケーションのアカウントは、第２アプリケーションのアカウントと連携されることができる。このとき、第１アプリケーションのアカウントと第２アプリケーションのアカウントとを連携させるための連携許容ステップが追加または独立して行われ得る。即ち、ログインステップと別途に、デバイス（２００）がインスタントメッセージサーバ（１２０）に第１アプリケーションのアカウントと第２アプリケーションのアカウントとの連携のための要請を転送すると、インスタントメッセージサーバ（１２０）はアカウント連携要請を受信し、アカウント連携を許容することで、第１アプリケーションのアカウントと第２アプリケーションのアカウントとは連携されることができる。
【００２７】
また他の例として、第１アプリケーションのアカウントは、オンライン上で予め第２アプリケーションのアカウントと連携されることができる。
【００２８】
一方、第１アプリケーションのアカウントと第２アプリケーションとは、同一のアカウントであってもよい。即ち、一つのアカウントでコンテンツを提供する第１アプリケーションに接続し、インスタントメッセージを送受信する第２アプリケーションに接続することもできる。
【００２９】
これとは異なり、第１アプリケーションのアカウントと第２アプリケーションのアカウントとは、互いに異なる別個のアカウントであってもよい。これにより、第１アプリケーションのアカウントと第２アプリケーションのアカウントとが別個に存在する場合も、アカウント連携を通じて第１アプリケーションのコンテンツは、第２アプリケーションのチャットルーム上に表示され得る。
【００３０】
このように、第１アプリケーションのアカウントと第２アプリケーションのアカウントとを連携させることで、第１アプリケーションに表示されたコンテンツのうちチャットルームに参加するユーザの共通の関心事に該当するコンテンツ（以下、共通の関心事コンテンツ）はチャットルーム上に表示されることができる。
【００３１】
このとき、チャットルームに表示される共通の関心事コンテンツは、コンテンツ自体またはコンテンツに係る情報（例えば、コンテンツの要約説明、コンテンツが格納されたサーバアドレスなど）であり得る。
【００３２】
一方、共通の関心事コンテンツは、第１アプリケーションを使用する複数のユーザのうち第２アプリケーションのチャットルームに参加する少なくとも一人のユーザの関心カテゴリの情報に基づいて決定される。このとき、関心カテゴリの情報は、第１アプリケーションを使用する複数のユーザまたは第１アプリケーションの加入者から収集されることができる。即ち、関心カテゴリの情報は、複数のユーザが第１アプリケーションの関心カテゴリ入力画面、または、第２アプリケーションの関心カテゴリ入力画面を通じて入力した一つ以上の関心カテゴリに基づいて収集されることができる。
【００３３】
また、関心カテゴリの情報は、コンテンツの参加度情報に基づいて決定されることができる。即ち、複数のユーザが第１アプリケーションに表示されたコンテンツに対するコメント履歴、共有履歴及び選好度履歴のうち一つ以上に基づいて参加度情報を抽出し、抽出された参加度情報に基づいて関心カテゴリの情報が決定されることができる。
【００３４】
これに加え、関心カテゴリの情報は、チャットルームに参加するユーザが取り交わしたインスタントメッセージをパースして決定されることもできる。即ち、関心カテゴリの情報は、チャットルームに参加するユーザが取り交わしたインスタントメッセージの内容に含まれたキーワードを抽出し、抽出されたキーワードを予め分類されたカテゴリのうち一つ以上にマッチングさせ、マッチングされたカテゴリに基づいて関心カテゴリを設定することができる。このように設定された関心カテゴリに基づいて関心カテゴリの情報が決定されることができる。
【００３５】
参考に、デバイス（２００）及び外部デバイス（３００）は、携帯性と移動性が保障される無線通信装置であって、ＰＣＳ（Ｐｅｒｓｏｎａｌ  Ｃｏｍｍｕｎｉｃａｔｉｏｎ  Ｓｙｓｔｅｍ）、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ：登録商標）、ＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００、ＣＤＭＡ（Ｃｏｄｅ  Ｄｉｖｉｓｉｏｎ  Ｍｕｌｔｉｐｌｅ  Ａｃｃｅｓｓ）−２０００、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）、ＷｉＢｒｏ（Ｗｉｒｅｌｅｓｓ  Ｂｒｏａｄｂａｎｄ  Ｉｎｔｅｒｎｅｔ）端末、スマートフォン（Ｓｍａｒｔｐｈｏｎｅ）、タブレットＰＣなどのような全ての種類のハンドヘルド（Ｈａｎｄｈｅｌｄ）に基づいた無線通信装置が含まれ得る。
【００３６】
特に、デバイス（２００）及び外部デバイス（３００）は、携帯用端末にインターネット通信と情報検索などコンピュータ支援機能を追加した知能型端末であって、ユーザが所望する多数の応用プログラム（即ち、アプリケーション）をインストールして実行することができるスマートフォン（ｓｍａｒｔｐｈｏｎｅ）であり得る。その他にも、デバイス（２００）及び外部デバイス（３００）は、ＰＣなどのようにサーバと有／無線通信を通じて接続できるユーザ端末であり得る。以下では、図１のコンテンツ提供システム（１０）に含まれたデバイス（２００）を図２を参照してより具体的に説明する。
【００３７】
図２は、本発明の一実施例に係るデバイス（２００）のブロック図である。
【００３８】
本発明の一実施例に係るデバイス（２００）は、アカウント連携部（２１０）、チャットルーム表示部（２２０）、コンテンツ受信部（２３０）、及び、コンテンツ表示部（２４０）を含む。但し、図２に示されたデバイス（２００）のブロック図は、本発明の一つの具現例に過ぎず、図２に示された構成要素に基づいて様々な変形が可能である。
【００３９】
参考に、本発明の実施例による図２に示された構成要素は、ソフトウェアまたはＦＰＧＡ（Ｆｉｅｌｄ  Ｐｒｏｇｒａｍｍａｂｌｅ  Ｇａｔｅ  Ａｒｒａｙ）またはＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）のようなハードウェアの構成要素を意味し、所定の役目を果たす。
【００４０】
しかし、「構成要素」は、ソフトウェアまたはハードウェアに限定される意味ではなく、各構成要素は、アドレッシングすることができる格納媒体にあるように構成されてもよく、一つまたはそれ以上のプロセッサを再生させるように構成されてもよい。
【００４１】
よって、一例として、構成要素は、ソフトウェア構成要素、客体指向ソフトウェア構成要素、クラス構成要素、及び、タスク構成要素のような構成要素と、プロセス、関数、属性、プロシージャ、サブルーチン、プログラムコードのセグメント、ドライバ、ファームウェア、マイクロコード、回路、データ、データベース、データ構造、テーブル、アレイ、及び、変数を含む。
【００４２】
構成要素と該当構成要素の中で提供される機能は、さらに小さい数の構成要素で結合されるか、追加的な構成要素にさらに分離され得る。
【００４３】
図２のデバイス（２００）の構成図は、図１及び以下の図面で説明されるデバイス（２００）及び外部デバイス（３００）のうちいずれかを意味し得る。従って、以下で、デバイス（２００）の構成図について説明されていない事項は、上記の図１を通じてデバイス（２００）及び外部デバイス（３００）について説明された内容に代える。
【００４４】
アカウント連携部（２１０）は、コンテンツを提供する第１アプリケーションのアカウントをデバイス（２００）にインストールされた第２アプリケーションのアカウントと連携させる。即ち、アカウント連携部（２１０）は、第１アプリケーションのアカウントを第２アプリケーションのアカウントと連携させるために、第２アプリケーションのアカウントでインスタントメッセージサーバ（１２０）にログインを要請し、インスタントメッセージサーバ（１２０）がログインを許容することで、第１アプリケーションのアカウントは、第２アプリケーションとアカウントとが連携されることができる。このとき、ログインステップとは別途にデバイス（２００）がインスタントメッセージサーバ（１２０）にアカウント連携を要請すると、インスタントメッセージサーバ（１２０）は、アカウント連携要請に従いアカウント連携を許容することで、第１アプリケーションのアカウントと第２アプリケーションのアカウントとは連携されることができる。一方、第１アプリケーションのアカウントと第２アプリケーションのアカウントとは、上述したように同一であってもよく、互いに異なるアカウントであってもよい。
【００４５】
このように第１アプリケーションのアカウントは、第２アプリケーションのアカウントと連携されることで、下記で説明するように、第１アプリケーションに表示されるコンテンツは、第２アプリケーションのチャットルームに表示されることができる。このとき、共通の関心事コンテンツは、第１アプリケーションで直接第２アプリケーションに提供することができ、また、コンテンツ提供サーバ（１１０）がインスタントメッセージサーバ（１２０）に伝達し、伝達された共通の関心事コンテンツが第２アプリケーションのチャットルームに表示されることもできる。
【００４６】
チャットルーム表示部（２２０）は、第２アプリケーションのチャットルームを表示する。このとき、表示されたチャットルームは、第１アプリケーションを使用する複数のユーザのうち少なくとも一人以上が参加する。そして、チャットルーム上には、下記で説明するように、複数のユーザのうちチャットルームに参加するユーザの関心カテゴリの情報に基づいて決定された共通の関心事コンテンツが表示される。このとき、関心カテゴリの情報は、複数のユーザから収集されることができ、一つ以上の関心カテゴリを含むことができる。
【００４７】
一方、本発明に係るデバイス（２００）は、コンテンツの受信要請の入力を受ける受信要請入力部（２６０）をさらに含むことができる。受信要請入力部（２６０）は、チャットルームの開設と同時にデバイス（２００）のユーザからコンテンツの受信要請の入力を受けてもよい。これとは異なり、受信要請入力部（２６０）は、チャットルームが表示された後、デバイス（２００）のユーザからコンテンツの受信要請の入力を受けてもよい。
【００４８】
コンテンツ受信部（２３０）は、第１アプリケーションを使用する複数のユーザのうちチャットルームに参加するユーザの関心カテゴリの情報に基づいて決定された共通の関心事コンテンツを受信する。このとき、関心カテゴリの情報は、複数のユーザから収集されることができる。そして、共通の関心事コンテンツは、チャットルームに参加する全てのユーザ、または、過半数以上とマッチングされる関心カテゴリに対応するコンテンツであり得る。
【００４９】
一方、コンテンツ受信部（２３０）は、第１アプリケーションから共通の関心事コンテンツを受信して第２アプリケーションのチャットルーム上に表示することもでき、これと異なり、コンテンツ提供サーバ（１１０）がインスタントメッセージサーバ（１２０）に伝達した共通の関心事コンテンツをインスタントメッセージサーバ（１２０）から受信して表示することもできる。
【００５０】
コンテンツ表示部（２４０）は、コンテンツ受信部（２３０）が受信した共通の関心事コンテンツを第２アプリケーションのチャットルーム上に表示する。このとき、コンテンツ表示部（２４０）は、共通の関心事コンテンツをインスタントメッセージの形態でチャットルーム上に表示することができる。
【００５１】
これとは異なり、コンテンツ受信部（２３０）がコンテンツ提供サーバ（１１０）から提供されるコンテンツのうち優先順位が高く設定されたコンテンツを共通の関心事コンテンツとして受信する場合、コンテンツ表示部（２４０）は、優先順位が高く設定された共通の関心事コンテンツを第２アプリケーションのチャットルームの所定の領域に表示することができる。これについて、図４を参照してより具体的に説明する。
【００５２】
図４は、優先順位が高く設定された共通の関心事コンテンツがチャットルーム上の所定の領域に表示された一例示を示す図である。
【００５３】
例えば、コンテンツがニュースとして共通の関心事がスポーツと決定された場合、コンテンツ受信部（２３０）は、スポーツニュースのうち優先順位が高く設定されたスポーツニュースを受信することができる。このとき、優先順位が高く設定されたコンテンツは、リアルタイムで最もイッシュになる主なニュースのようなコンテンツであり得る。コンテンツ受信部（２３０）がスポーツニュースのうち優先順位が高く設定されたニュースを受信すると、コンテンツ表示部（２４０）は、優先順位が高く設定されたニュ−スを図４に示されたように、チャットルームの所定の領域であるチャットルームの上段（２２１）に表示することができる。このように、チャットルームの所定の領域に優先順位が高く設定された共通の関心事コンテンツを表示することで、チャットルームに参加するユーザが取り交わすインスタントメッセージによりインスタントメッセージの形態で表示された共通の関心事コンテンツがチャットルーム上に表示されない場合であっても、ユーザは、共通の関心事コンテンツを即刻確認することができるようになる。
【００５４】
再び図２を参照すると、コンテンツ表示部（２４０）は、ポップアップリストの形態で共通の関心事コンテンツを表示することができ、このために、チャットルームは、受信した共通の関心事コンテンツのリストを表示するためのアイコンを含むことができる。このとき、アイコンは、第２アプリケーションのユーザインターフェイスの制御画面またはチャットルームの制御画面のうち一つ以上に含まれることができる。これについて、図５を参照してより具体的に説明すると、次の通りである。
【００５５】
図５は、共通の関心事コンテンツのリストを表示するためのアイコン及びアイコンのクリック時に表示されるコンテンツのリストの一例示を示す図である。
【００５６】
図５は、アイコンがチャットルームの制御画面に含まれた場合を示したものであり、チャットルームの制御画面を活性化させると、『ニュースボタン』のアイコン（２２３）が他の制御アイコンと共に表示される。『ニュースボタン』のアイコン（２２３）を選択すると、デバイス（２００）には共通の関心事コンテンツのリストが活性化される。このように、本発明に係るデバイス（２００）は、アイコンによりポップアップの形態で共通の関心事コンテンツを確認することができ、チャットルームに参加するユーザは、インスタントメッセージの形態で共通の関心事コンテンツを受信することができるだけでなく、自分が所望する時期にアイコンによるコンテンツリストをポップアップさせ、共通の関心事コンテンツを確認することができる。
【００５７】
再び図２を参照すると、本発明に係るデバイス（２００）は、ユーザインターフェイスを通じてコンテンツに対する関心カテゴリの入力を受ける関心カテゴリ入力部（２５０）をさらに含み得る。関心カテゴリ入力部（２５０）は、ユーザインターフェイスを通じてキーワードの入力を受け、入力されたキーワードに対応する関心カテゴリを抽出することができる。また、関心カテゴリ入力部（２５０）は第１アプリケーションまたは第２アプリケーションのユーザインターフェイスを通じて関心カテゴリの入力を受けることができる。これに係り、図３ａ及び図３ｂを参照して関心カテゴリ入力部（２５０）についてより具体的に説明する。
【００５８】
図３ａ及び図３ｂは、本発明に係る関心カテゴリ入力部（２５０）の一例示を示す図である。
【００５９】
関心カテゴリ入力部（２５０）は、第１アプリケーションまたは第２アプリケーションのユーザインターフェイスを通じて関心カテゴリの入力を受けることができる。このとき、ユーザインターフェイスで関心カテゴリ入力画面が活性化されることができる。例えば、図３ａに示されたように、関心カテゴリ入力画面は、政治、証券、スポーツ、キャンピング、社会、文化など様々なカテゴリを選択することができるチェックボックス（２５１）の形態で活性化されることができる。このとき、ユーザは、複数のカテゴリのうち一つ以上のカテゴリを選択する入力を通じて関心カテゴリに選択することができる。
【００６０】
また、図３ｂに示されたように、関心カテゴリ入力画面を通じてキーワードの入力を受け、入力されたキーワードに対応する関心カテゴリを抽出することができる。例えば、関心カテゴリ入力画面（２５３）を通じて『政治』、『証券』及び『スポーツ』というキーワードを入力して関心カテゴリを追加することができ、追加されたキーワードは削除ボタンにより削除することもできる。
【００６１】
一方、図３ａ及び図３ｂに示された関心カテゴリ入力画面は一例示に過ぎず、関心カテゴリ入力画面は、チェックボックスやキーワードの入力形態ではなく、カテゴリに対するイメージ、動画、スライドを選択する方式など様々な形態で活性化されることができる。
【００６２】
再び図２を参照すると、本発明に係るデバイス（２００）における関心カテゴリの情報は、第１アプリケーションを通じて入力された関心カテゴリに基づいて収集されるか、第２アプリケーションを通じて入力された関心カテゴリに基づいて収集されることができる。即ち、複数のユーザが第１アプリケーションまたは第２アプリケーションの関心カテゴリ入力画面を通じて入力した関心カテゴリに基づいて関心カテゴリの情報が収集されることができる。
【００６３】
先ず、第１アプリケーションを通じて関心カテゴリを入力して共通の関心事コンテンツを受信する場合を説明すると、次の通りである。
【００６４】
関心カテゴリ入力部（２５０）を通じて一つ以上の関心カテゴリが入力されれば、一つ以上の関心カテゴリを含む関心カテゴリの情報は、コンテンツ提供サーバ（１１０）に格納され得る。即ち、コンテンツ提供サーバ（１１０）には、一つ以上のユーザが入力した関心カテゴリの情報が各ユーザ別にマッチングして格納され得る。コンテンツ提供サーバ（１１０）に関心カテゴリの情報が格納された状態で、コンテンツ提供サーバ（１１０）がインスタントメッセージサーバ（１２０）から共通の関心事コンテンツの転送の要請を受けると、コンテンツ提供サーバ（１１０）は、転送要請に従い、各ユーザ別にマッチングされた関心カテゴリの情報を抽出し、抽出された関心カテゴリの情報に基づいてチャットルームに参加するユーザの共通の関心事情報を決定することができる。このように決定された共通の関心事情報に対応する共通の関心事コンテンツをデバイス（２００）に直接転送するか、インスタントメッセージサーバ（１２０）に転送することができる。
【００６５】
これとは異なり、関心カテゴリの情報は、インスタントメッセージサーバ（１２０）に格納され得る。即ち、インスタントメッセージサーバ（１２０）には、一つ以上のユーザが入力した関心カテゴリの情報が各ユーザ別にマッチングして格納され得る。インスタントメッセージサーバ（１２０）に関心カテゴリの情報が格納された状態で、インスタントメッセージサーバ（１２０）は、チャットルームに参加したユーザ別にマッチングされた関心カテゴリの情報に基づいて共通の関心事情報を決定することができる。共通の関心事情報が決定されると、インスタントメッセージサーバ（１２０）は、コンテンツ提供サーバ（１１０）に共通の関心事情報に対応する共通の関心事コンテンツの転送を要請する。これにより、コンテンツ提供サーバ（１１０）は、共通の関心事コンテンツをデバイス（２００）に直接転送するか、インスタントメッセージサーバ（１２０）に転送することができる。
【００６６】
次に、第２アプリケーションを通じて関心カテゴリを入力して共通の関心事コンテンツを受信する場合を説明すると、次の通りである。
【００６７】
ユーザインターフェイスを通じてコンテンツに対する関心カテゴリの入力を受ける関心カテゴリ入力部（２５０）は、第２アプリケーションのユーザインターフェイスを通じて関心カテゴリの入力を受けることができる。このとき、関心カテゴリ入力部（２５０）を通じて関心カテゴリを入力する方法は、図３ａ及び図３ｂで説明したように、活性化された関心カテゴリ入力画面のチェックボックスの入力やキーワードの入力を通じて関心カテゴリを入力することができ、その他に様々な方法で関心カテゴリを入力することができる。
【００６８】
関心カテゴリ入力部（２５０）を通じて第２アプリケーション上で関心カテゴリが入力されると、関心カテゴリの情報は、インスタントメッセージサーバ（１２０）に格納され得る。このとき、インスタントメッセージサーバ（１２０）には、一つ以上のユーザが入力した関心カテゴリの情報が各ユーザ別にマッチングして格納され得る。このように格納された関心カテゴリの情報に基づいてインスタントメッセージサーバ（１２０）は、チャットルームに参加したユーザの共通の関心事情報を決定し、コンテンツ提供サーバ（１１０）に共通の関心事情報に対応する共通の関心事コンテンツの転送を要請する。転送要請を受けたコンテンツ提供サーバ（１１０）は、共通の関心事コンテンツをデバイス（２００）に直接転送するか、インスタントメッセージサーバ（１２０）に転送することができる。
【００６９】
また、本発明に係るデバイス（２００）における関心カテゴリの情報は、第１アプリケーションまたは第２アプリケーションの関心カテゴリ入力画面を通じる入力ではなく、チャットルーム上のインスタントメッセージをパースして関心カテゴリを設定することができる。このために、本発明に係るデバイス（２００）は、コンテンツに対する関心カテゴリを設定する関心カテゴリ設定部（２７０）をさらに含むことができる。
【００７０】
関心カテゴリ設定部（２７０）は、チャットルームに参加するユーザが取り交わしたインスタントメッセージの内容に含まれたキーワードを抽出し、抽出されたキーワードを予め分類されたカテゴリのうち一つ以上にマッチングさせ、マッチングされたカテゴリに基づいて関心カテゴリを設定することができる。例えば、『スポーツ』、『政治』とカテゴリが予め分類されており、ユーザが取り交わした会話中『サッカーしよう』という会話がある場合、『サッカー』というキーワードを抽出して『スポーツ』のカテゴリにマッチングさせ、『スポーツ』を関心カテゴリに設定することができる。
【００７１】
このとき、関心カテゴリ設定部（２７０）は、キーワードが予め分類されたカテゴリにマッチングされる回数が既設定された回数以上である場合、既設定された回数以上がマッチングされたカテゴリを関心カテゴリに設定することができる。即ち、カテゴリにマッチングされるキーワードが抽出された場合毎に関心カテゴリと指定するのではなく、決定された回数以上のキーワードが抽出された場合に限り、関心カテゴリに設定することができる。これにより、本発明は、ユーザにより信頼性のある共通の関心事コンテンツを提供することができる。
【００７２】
一方、関心カテゴリ設定部（２７０）は、チャットルームに参加するユーザが取り交わしたインスタントメッセージを既設定された周期でパースして関心カテゴリを設定することもできる。即ち、関心カテゴリ設定部（２７０）は、チャットルームに参加するユーザがインスタントメッセージを転送する度にパースするのではなく、既設定された周期でインスタントメッセージに含まれたキーワードを抽出し、抽出されたキーワードを予め分類されたカテゴリのうち一つ以上にマッチングさせ、マッチングされたカテゴリに基づいて関心カテゴリを設定することができる。
【００７３】
このように、本発明に係るデバイス（２００）に含まれた関心カテゴリ設定部（２７０）は、インスタントメッセージをパースして関心カテゴリを設定することができ、デバイス（２００）の関心カテゴリ設定部（２００）で関心カテゴリを設定するのではなく、インスタントメッセージサーバ（１２０）でインスタントメッセージをパースすることもできる。即ち、インスタントメッセージサーバ（１２０）は、チャットルームに参加するユーザが取り交わしたインスタントメッセージの内容に含まれたキーワードを抽出し、カテゴリにマッチングさせた後、これにより関心カテゴリを設定することもできる。
【００７４】
また、本発明に係るデバイス（２００）における関心カテゴリの情報は、コンテンツの参加度情報に基づいて決定されることができる。具体的に、インスタントメッセージサーバ（１２０）は、コンテンツ提供サーバ（１１０）に共通の関心事コンテンツの転送を要請し、コンテンツ提供サーバ（１１０）は、転送要請に従いコンテンツの参加度情報を抽出することができる。そして、コンテンツ提供サーバ（１１０）は、抽出された参加度情報に基づいて関心カテゴリの情報を決定し、決定された関心カテゴリの情報により決定された共通の関心事情報に対応する共通の関心事コンテンツをデバイス（２００）またはインスタントメッセージサーバ（１２０）のうちいずれかに転送することができる。以下では、図６を参照して参加度情報について説明する。
【００７５】
図６は、コンテンツの参加度情報を説明するための図である。
【００７６】
参加度情報は、コンテンツに対するコメント履歴、共有履歴及び選好度履歴のうち一つ以上に基づいて抽出されることができる。例えば、図６に示されたように、コンテンツがニュースである場合、ユーザは、ニュースが表示された画面の下段に活性化された画面（２７１）を通じてコメント入力、コンテンツ共有及び選好度入力をすることができる。具体的に、該当ニュースに対するコメントを残した履歴に基づいて参加度情報を抽出することができる。また、該当ニュースを他のユーザに共有した回数などの履歴に基づいて参加度情報を抽出することができる。これに加え、該当ニュースに対する選好度履歴、即ち、『良いです』または『嫌いです』のボタンや、『おすすめ』のようなボタンが活性化されている場合、このようなボタンを入力した履歴に基づいて参加度情報を抽出することができる。
【００７７】
このとき、参加度情報は、デバイス（２００）ユーザのコメント履歴、共有履歴及び選好度履歴のうち一つ以上が存在するコンテンツのカテゴリ情報を含むことができ、これにより、関心カテゴリの情報は、参加度情報が含むコンテンツのカテゴリ情報に基づいて決定されることができる。さらに、参加度情報は、デバイス（２００）ユーザのコメント履歴、共有履歴及び選好度履歴のうち一つ以上が既設定された回数以上存在するカテゴリの情報を含むこともできる。
【００７８】
これとは異なり、参加度情報は、コメント履歴、共有履歴及び選好度履歴のうち一つ以上が既設定された回数以上存在するコンテンツのカテゴリ情報を含むことができる。即ち、参加度情報抽出時にデバイス（２００）ユーザだけでなく、外部デバイス（３００）ユーザのコメント履歴、共有履歴及び選好度履歴を共に考慮することができる。
【００７９】
一方、本発明に係るコンテンツ提供サーバ（１１０）及びインスタントメッセージサーバ（１２０）は、関心カテゴリの情報及び参加度情報を格納する格納部（未図示）をさらに含み得る。上述した格納部は、キャッシュ、ＲＯＭ（Ｒｅａｄ  Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）、及び、フラッシュメモリ（Ｆｌａｓｈ  ｍｅｍｏｒｙ）のような非揮発性メモリ素子、または、ＲＡＭ（Ｒａｎｄｏｍ  Ａｃｃｅｓｓ  Ｍｅｍｏｒｙ）のような揮発性メモリ素子、または、ハードディスクドライブ（ＨＤＤ、Ｈａｒｄ  Ｄｉｓｋ  Ｄｒｉｖｅ）、ＣＤ−ＲＯＭのような格納媒体のうち少なくとも一つで具現できるが、これに限らない。
【００８０】
以下では、図７ａないし図７ｄを参照して本発明の一実施例に係るコンテンツ提供方法について説明する。
【００８１】
本発明に係るコンテンツ提供方法は、先ず、コンテンツを提供する第１アプリケーションのアカウントをデバイス（２００）にインストールされた第２アプリケーションのアカウントと連携させる。このとき、第１アプリケーションのアカウントと第２アプリケーションのアカウントとは、互いに同一のアカウントであってもよく、これとは異なり、互いに別個のアカウントであってもよい。即ち、一つのアカウントで第１アプリケーションと第２アプリケーションとに接続することもでき、それぞれ異なるアカウントを通じて接続することもできる。このように、第１アプリケーションのアカウントと第２アプリケーションのアカウントとが別個に存在する場合も、アカウント連携を通じて第１アプリケーションのコンテンツは、第２アプリケーションのチャットルーム上に表示され得る。
【００８２】
一方、第１アプリケーションは、デバイス（２００）にインストールされていてもよく、これとは異なり、デバイス（２００）にインストールされておらず、他のデバイスにインストールされていてもよい。また、デバイス（２００）に第１アプリケーションがインストールされていない場合、デバイス（２００）は、コンテンツ提供サーバ（１１０）を通じてコンテンツの提供を受けることもできる。
【００８３】
次に、第１アプリケーションを使用する複数のユーザのうち少なくとも一人以上が参加する第２アプリケーションのチャットルームを表示する。このとき、複数のユーザは、第１アプリケーションを使用するユーザを意味し、チャットルームには、第１アプリケーションを使用する複数のユーザのうち少なくとも一人以上が参加する。これにより、下記図７ａないし７ｂで説明するように、複数のユーザが関心カテゴリを設定した場合、複数のユーザのうちチャットルームに参加している少なくとも一人以上のユーザが設定した関心カテゴリに基づいて共通の関心事コンテンツが決定され、決定された共通の関心事コンテンツがチャットルーム上に表示され得る。
【００８４】
次に、複数のユーザのうちチャットルームに参加するユーザの関心カテゴリの情報に基づいて決定された共通の関心事コンテンツを受信し、受信した共通の関心事コンテンツを第２アプリケーションのチャットルーム上に表示する。このとき、関心カテゴリは、複数のユーザから収集される。
【００８５】
このようなコンテンツ提供方法は、コンテンツ提供サーバ（１１０）で共通の関心事コンテンツを決定してもよく、これとは異なり、インスタントメッセージサーバ（１２０）で共通の関心事コンテンツを決定してもよい。また、コンテンツ提供サーバ（１１０）で参加度情報を抽出し、これに基づいて共通の関心事コンテンツを決定することもでき、チャットルームのインスタントメッセージの内容をパースして共通の関心事コンテンツを決定することもできる。以下では、上記で言及したそれぞれの場合についてより具体的に説明する。
【００８６】
図７ａは、コンテンツ提供サーバ（１１０）で共通の関心事コンテンツを決定してデバイス（２００）上に共通の関心事コンテンツを表示する一連のステップを示すフローチャートである。
【００８７】
本発明に係るコンテンツ提供方法は、デバイス（２００）で第１アプリケーションのアカウントと第２アプリケーションのアカウントとを連携させる。例えば、第１アプリケーションのアカウントを第２アプリケーションのアカウントと連携させるために、第２アプリケーションのアカウントでインスタントメッセージサーバ（１２０）にログインを要請し、インスタントメッセージサーバ（１２０）がログインを許容することで、第１アプリケーションのアカウントは、第２アプリケーションのアカウントと連携されることができる。このとき、第１アプリケーションのアカウントと第２アプリケーションのアカウントとを連携させるための連携許容ステップが追加され得る。即ち、ログインステップと別途にデバイス（２００）がインスタントメッセージサーバ（１２０）に第１アプリケーションのアカウントと第２アプリケーションのアカウントとの連携のための要請を転送すると、インスタントメッセージサーバ（１２０）は、アカウント連携要請を受信し、アカウント連携を許容することで、第１アプリケーションのアカウントと第２アプリケーションのアカウントとは連携されることができる。
【００８８】
一方、ユーザが第１アプリケーションを通じて一つ以上の関心カテゴリを入力すると、一つ以上の関心カテゴリを含む関心カテゴリの情報はコンテンツ提供サーバ（１１０）に格納される。このとき、コンテンツ提供サーバ（１１０）には一つ以上のユーザが入力した関心カテゴリの情報が各ユーザ別にマッチングして格納され得る。
【００８９】
このように、コンテンツ提供サーバ（１１０）に関心カテゴリの情報が格納されており、第２アプリケーションにチャットルームが表示されると（Ｓ１１０）、デバイス（２００）のユーザから共通の関心事コンテンツの受信要請の入力を受ける（Ｓ１２０）。これとは異なり、デバイス（２００）は、チャットルームの開設と同時にデバイス（２００）のユーザからコンテンツの受信要請の入力を受けることもできる。
【００９０】
第２アプリケーションを通じてコンテンツの受信要請の入力を受けることにより、インスタントメッセージサーバ（１２０）は、コンテンツ提供サーバ（１１０）に共通の関心事コンテンツの転送を要請する（Ｓ１３０）。そして、コンテンツ提供サーバ（１１０）は、転送要請に従い各チャットルームに参加するユーザ別にマッチングされた関心カテゴリの情報を抽出し、抽出された関心カテゴリの情報に基づいて共通の関心事情報を決定する（Ｓ１４０）。このように決定された共通の関心事情報に対応する共通の関心事コンテンツは、デバイス（２００）に転送されるか（Ｓ１５０）、インスタントメッセージサーバ（１２０）に転送され、デバイス（２００）に転送されることができる（Ｓ１５５）。コンテンツ提供サーバ（１１０）またはインスタントメッセージサーバ（１２０）から、デバイス（２００）は、共通の関心事コンテンツを受信し（Ｓ１６０）、共通の関心事コンテンツを第２アプリケーションのチャットルーム上に表示する（Ｓ１７０）。
【００９１】
図７ｂは、インスタントメッセージサーバ（１２０）で共通の関心事コンテンツを決定してデバイス（２００）上に共通の関心事コンテンツを表示する一連のステップを示すフローチャートである。
【００９２】
先ず、図７ａで説明したように、デバイス（２００）において、第１アプリケーションと第２アプリケーションとのアカウントを連携させる。そして、ユーザが第１アプリケーションと第２アプリケーションとを通じて一つ以上の関心カテゴリを入力すると、一つ以上の関心カテゴリを含む関心カテゴリの情報はインスタントメッセージサーバ（１２０）に格納される。このとき、インスタントメッセージサーバ（１２０）には、一つ以上のユーザが入力した関心カテゴリの情報が各ユーザ別にマッチングして格納され得る。
【００９３】
このように、インスタントメッセージサーバ（１２０）に関心カテゴリの情報が格納されており、第２アプリケーションにチャットルームが表示されると（Ｓ２１０）、デバイス（２００）のユーザから共通の関心事コンテンツの受信要請の入力を受ける（Ｓ２２０）。第２アプリケーションを通じてコンテンツの受信要請の入力を受けることにより、インスタントメッセージサーバ（１２０）は、チャットルームに参加するユーザの共通の関心事情報を決定し（Ｓ２３０）、コンテンツ提供サーバ（１１０）に共通の関心事情報に対応する共通の関心事コンテンツの転送を要請する（Ｓ２４０）。インスタントメッセージサーバ（１２０）から共通の関心事コンテンツの情報の要請を受けたコンテンツ提供サーバ（１１０）は、共通の関心事コンテンツをデバイス（２００）に直接転送するか（Ｓ２５０）、インスタントメッセージサーバ（１２０）に転送し、デバイス（２００）は、コンテンツ提供サーバ（１１０）から転送されるか（Ｓ２５０）、インスタントメッセージサーバ（１２０）から転送されてきた（Ｓ２５５）共通の関心事コンテンツを受信し（Ｓ２６０）、受信した共通の関心事コンテンツを第２アプリケーションのチャットルーム上に表示する（Ｓ２７０）。
【００９４】
図７ｃは、コンテンツ提供サーバ（１１０）で参加度情報に基づいて共通の関心事コンテンツを決定し、これをデバイス（２００）上に表示する一連のステップを示すフローチャートである。
【００９５】
本発明に係るコンテンツ提供方法は、図７ａで説明したように、第１アプリケーションのアカウントと第２アプリケーションのアカウントとを連携させる。そして、第２アプリケーションにチャットルームが表示されると（Ｓ３１０）、デバイス（２００）のユーザから共通の関心事コンテンツの受信要請の入力を受ける（Ｓ３２０）。第２アプリケーションを通じてコンテンツの受信要請の入力を受けることにより、インスタントメッセージサーバ（１２０）は、コンテンツ提供サーバ（１１０）でチャットルームに参加するユーザに対応する共通の関心事コンテンツの転送を要請する（Ｓ３３０）。転送要請を受けたコンテンツ提供サーバ（１１０）は、コンテンツの参加度情報を抽出する（Ｓ３４０）。このとき、参加度情報は、コンテンツに対するコメント履歴、共有履歴及び選好度履歴のうち一つ以上に基づいて抽出されることができ、参加度情報を抽出する方法については図６で説明したので、具体的な説明は省略する。
【００９６】
コンテンツ提供サーバ（１１０）は、参加度情報が抽出されると、抽出された参加度情報に基づいて関心カテゴリの情報を決定し（Ｓ３５０）、決定された関心カテゴリの情報によって決定されたチャットルームに参加するユーザの共通の関心事情報に対応する共通の関心事コンテンツを決定し（Ｓ３６０）、デバイス（２００）またはインスタントメッセージサーバ（１２０）のいずれかに転送することができる（Ｓ３７０）。これにより、デバイス（２００）は、コンテンツ提供サーバ（１１０）またはインスタントメッセージサーバ（１２０）から転送を受けた（Ｓ３７５）共通の関心事コンテンツを受信し（Ｓ３８０）、共通の関心事コンテンツを第２アプリケーションのチャットルーム上に表示する（Ｓ３９０）。
【００９７】
図７ｄは、インスタントメッセージサーバ（１２０）でチャットルーム上のインスタントメッセージをパースして共通の関心事コンテンツを決定し、これをデバイス（２００）上に表示する一連のステップを示すフローチャートである。
【００９８】
本発明に係るコンテンツ提供方法は、第２アプリケーションにチャットルームが表示されると（Ｓ４１０）、デバイス（２００）のユーザから共通の関心事コンテンツの受信要請の入力を受ける（Ｓ４２０）。共通の関心事コンテンツの受信要請に従い、インスタントメッセージサーバ（１２０）は、ユーザが取り交わしたインスタントメッセージの内容に含まれたキーワードを抽出し（Ｓ４３０）、抽出されたキーワードを予め分類されたカテゴリのうち一つ以上にマッチングさせることで関心カテゴリを設定し（Ｓ４４０）、これにより、共通の関心事コンテンツを決定することができる（Ｓ４５０）。共通の関心事コンテンツが決定されることにより、インスタントメッセージサーバ（１２０）は、コンテンツ提供サーバ（１１０）に共通の関心事情報に対応する共通の関心事コンテンツの転送を要請する（Ｓ４６０）。インスタントメッセージサーバ（１２０）から共通の関心事コンテンツの情報の要請を受けたコンテンツ提供サーバ（１１０）は、共通の関心事コンテンツをデバイス（２００）に直接転送するか（Ｓ４７０）、インスタントメッセージサーバ（１２０）に転送し、デバイス（２００）は、コンテンツ提供サーバ（１１０）から転送されるか（Ｓ４７０）、インスタントメッセージサーバ（１２０）から転送されてきた（Ｓ４７５）共通の関心事コンテンツを受信し（Ｓ４８０）、受信した共通の関心事コンテンツを第２アプリケーションのチャットルーム上に表示する（Ｓ４９０）。
【００９９】
一方、図７ａないし図７ｄでは、共通の関心事コンテンツをコンテンツ提供サーバ（１１０）がデバイス（２００）またはインスタントメッセージサーバ（１２０）に転送すると説明したが、これとは異なり、第１アプリケーションが第２アプリケーションに直接共通の関心事コンテンツを伝達することもできる。
【０１００】
一方、図２及び図７ａないし図７ｄを通じて説明したコンテンツ提供方法の各ステップは、コンピュータを実行させるコンピュータプログラム、スマートデバイス（例えば、スマートフォン）を実行させるアプリケーション、及び、デバイスでコンテンツを共有する命令語のシーケンスを含むプログラムでも具現できる。例えば、本発明の一実施例は、ユーザデバイス（２００）と連携して動作するアプリケーションを提供することができる。
【０１０１】
即ち、デバイス（２００）でコンテンツの提供を受けるための命令語のシーケンスを含むコンピュータアプリケーションは、コンピュータ装置により実行されるとき、アプリケーションのアカウントは、コンテンツを提供するアプリケーションのアカウントと連携され、コンテンツを提供するアプリケーションを使用する複数のユーザのうち少なくとも一人以上が参加するチャットルームを表示する。そして、複数のユーザのうちチャットルームに参加するユーザの関心カテゴリの情報に基づいて決定された共通の関心事コンテンツを受信し、受信した共通の関心事コンテンツを上記チャットルーム上に表示する。このとき、関心カテゴリの情報は、上記複数のユーザから収集される。本発明に係るアプリケーションに関する説明は、図２及び図７ａないし図８ｃで説明したので、具体的は説明は以下で省略する。
【０１０２】
本発明の実施例は、コンピュータにより実行されるプログラムモジュールのようなコンピュータにより実行可能な命令語を含む記録媒体の形態でも具現されることができる。コンピュータ読み取り可能な媒体は、コンピュータによりアクセスできる任意の可用媒体であってもよく、揮発性及び非揮発性媒体、分離型及び非分離型の全てを含む。また、コンピュータ読み取り可能な媒体は、コンピュータ格納媒体及び通信媒体の全てを含むことができる。コンピュータ格納媒体は、コンピュータ読み取り可能な命令語、データ構造、プログラムモジュールまたはその他データのような情報の格納のための任意の方法または技術で具現された揮発性及び非揮発性、分離型及び非分離型媒体の全てを含む。通信媒体は、典型的にコンピュータ読み取り可能な命令語、データ構造、プログラムモジュール、または、搬送波のような変調されたデータ信号のその他データ、または、その他転送メカニズムを含み、任意の情報伝達媒体を含む。
【０１０３】
前述した本発明の説明は例示のためのものであり、本願が属する技術分野の通常の知識を持った者は、本発明の技術的思想や必須の特徴を変更せずに他の具体的な形態に容易に変形が可能であるということが理解できるであろう。従って、以上で記述した実施例は全ての面で例示的なものであり、限定的ではないと理解するべきである。例えば、単一型で説明されている各構成要素は、分散して実施されることもでき、同様に分散したもので説明されている構成要素も、結合した形態で実施されることができる。
【０１０４】
本発明の範囲は、上記詳細な説明よりは後述する特許請求の範囲によって示され、特許請求の範囲の意味及び範囲、そしてその均等概念から導出される全ての変更または変形された形態が本願の範囲に含まれることと解釈されなければならない。
【符号の説明】
【０１０５】
１０    コンテンツ提供システム
１１０  コンテンツ提供サーバ
１２０  インスタントメッセージサーバ
２００  デバイス
２１０  アカウント連携部
２２０  チャットルーム表示部
２３０  コンテンツ受信部
２４０  コンテンツ表示部
２５０  関心カテゴリ入力部
２６０  受信要請入力部
２７０  関心カテゴリ設定部
３００  外部デバイス
【図１】
2016045960.tif 000003
【図２】
2016045960.tif 000004
【図３ａ】
2016045960.tif 000005
【図３ｂ】
2016045960.tif 000006
【図４】
2016045960.tif 000007
【図５】
2016045960.tif 000008
【図６】
2016045960.tif 000009
【図７ａ】
2016045960.tif 000010
【図７ｂ】
2016045960.tif 000011
【図７ｃ】
2016045960.tif 000012
【図７ｄ】
2016045960.tif 000013